(57)【要約】本開示の実施例は有機発光ダイオードディスプレイスクリーン及び電子装置に関し、前記ディスプレイスクリーンが水平方向において第一のエリア及び第二のエリアを含み、前記ディスプレイスクリーンが垂直方向において第一のフィルム層、前記第一のフィルム層に順次重ね合わせられた第一の電極、第二のフィルム層及び第二の電極を含み、前記ディスプレイスクリーンの第一のエリアに位置する第一のフィルム層に駆動素子が設置され、前記ディスプレイスクリーンの第二のエリアに位置する第一のフィルム層に駆動素子が設置されなく、前記ディスプレイスクリーンの第一のエリアに位置する第二のフィルム層に第一の発光素子が設置され、前記ディスプレイスクリーンの第二のエリアに位置する第二のフィルム層に第二の発光素子が設置され、前記第一の発光素子と前記第二の発光素子が前記駆動素子の駆動で発光することができる。【選択図】図１
2021501957.tif 000002
【特許請求の範囲】
【請求項１】
有機発光ダイオード（ＯＬＥＤ）ディスプレイスクリーンであって、前記ＯＬＥＤディスプレイスクリーンは、水平方向において第一のエリア及び第二のエリアを含み、前記ＯＬＥＤディスプレイスクリーンは、垂直方向において第一のフィルム層、前記第一のフィルム層に順次重ね合わせられた第一の電極、第二のフィルム層及び第二の電極を含み、
前記ＯＬＥＤディスプレイスクリーンの第一のエリアに位置する第一のフィルム層に駆動素子が設置され、前記ＯＬＥＤディスプレイスクリーンの第二のエリアに位置する第一のフィルム層に駆動素子が設置されなく、
前記ＯＬＥＤディスプレイスクリーンの第一のエリアに位置する第二のフィルム層に第一の発光素子が設置され、前記ＯＬＥＤディスプレイスクリーンの第二のエリアに位置する第二のフィルム層に第二の発光素子が設置され、前記第一の発光素子と前記第二の発光素子が前記駆動素子の駆動で発光することができ、
前記第一の発光素子と前記第二の発光素子がいずれも前記第一の電極を介して前記駆動素子に電気的に接続され、
前記第一の発光素子と前記第二の発光素子がいずれも前記第二の電極に電気的に接続されるＯＬＥＤディスプレイスクリーン。
【請求項２】
前記ＯＬＥＤディスプレイスクリーンは複数の第一の発光素子及び複数の第二の発光素子を含み、
前記複数の第一の発光素子が複数の第一のグループに分けられ、第一のグループごとに少なくとも一つの第一の発光素子が含まれ、
前記複数の第二の発光素子が複数の第二のグループに分けられ、第二のグループごとに少なくとも一つの第二の発光素子が含まれ、
各第二のグループがそれぞれ一つの第一のグループと一対一で対応し、
各第二のグループの第二の発光素子、及び該第二のグループと一対一で対応する第一のグループの第一の発光素子がいずれも同一の駆動素子に電気的に接続される
請求項１に記載のＯＬＥＤディスプレイスクリーン。
【請求項３】
各第二のグループの第二の発光素子の発光色、及び該第二のグループと一対一で対応する第一のグループの第一の発光素子の発光色は同じである
請求項２に記載のＯＬＥＤディスプレイスクリーン。
【請求項４】
各第二のグループの第二の発光素子の発光色、及び該第二のグループと一対一で対応する第一のグループの第一の発光素子の発光色は、異なり、又は一部同じである
請求項２に記載のＯＬＥＤディスプレイスクリーン。
【請求項５】
各第二のグループの第二の発光素子、及び該第二のグループと一対一で対応する第一のグループの第一の発光素子は、直線、ポリライン、曲線又はアレイに配置される
請求項２に記載のＯＬＥＤディスプレイスクリーン。
【請求項６】
前記第一の電極が陽極であり、前記第二の電極が陰極である
請求項１に記載のＯＬＥＤディスプレイスクリーン。
【請求項７】
いずれかの前記第一の発光素子は該第一の発光素子に電気的に接続された駆動素子に面している
請求項１に記載のＯＬＥＤディスプレイスクリーン。
【請求項８】
前記ＯＬＥＤディスプレイスクリーンの第一のエリアに位置する第一のフィルム層の材料は前記ＯＬＥＤディスプレイスクリーンの第二のエリアに位置する第一のフィルム層の材料と異なる
請求項１に記載のＯＬＥＤディスプレイスクリーン。
【請求項９】
前記ＯＬＥＤディスプレイスクリーンの第一のエリアに位置する第一のフィルム層の厚さは前記ＯＬＥＤディスプレイスクリーンの第二のエリアに位置する第一のフィルム層の厚さと異なる
請求項１に記載のＯＬＥＤディスプレイスクリーン。
【請求項１０】
前記ＯＬＥＤディスプレイスクリーンの第二のエリアにおける第一のフィルム層の位置に穴が開けられる
請求項１に記載のＯＬＥＤディスプレイスクリーン。
【請求項１１】
前記第一の電極と前記第二の電極は透明導電性材料からなる
請求項１に記載のＯＬＥＤディスプレイスクリーン。
【請求項１２】
電子装置であって、請求項１−１１のいずれか一項に記載の有機発光ダイオード（ＯＬＥＤ）ディスプレイスクリーンを備える、前記電子装置。
【発明の詳細な説明】
【技術分野】
【０００１】
本出願は出願番号が２０１８１１１０９０６１．６であり、出願日が２０１８年９月２１日である中国特許出願に基づいて提出され、該中国特許出願の先行出願優先権を主張し、該中国特許出願の全ての内容は参照により本明細書に組み込まれる。
【０００２】
本開示の実施例は電子装置技術分野に関し、特に有機発光ダイオードディスプレイスクリーン及び電子装置に関する。
【背景技術】
【０００３】
有機発光ダイオード（ＯＬＥＤ：Ｏｒｇａｎｉｃ  Ｌｉｇｈｔ−Ｅｍｉｔｔｉｎｇ  Ｄｉｏｄｅ）は有機エレクトロルミネッセンスディスプレイスクリーン、有機発光半導体とも呼ばれてもよい。ＯＬＥＤディスプレイスクリーンは有機エレクトロルミネッセンスダイオードからなるディスプレイスクリーンである。ＯＬＥＤディスプレイスクリーンはバックライトがなく、コントラストが高く、厚さが薄いなどの優れた特性を有しており、様々な電子機器、例えば各種移動端末に広く使用される。移動端末技術の発展に伴い、移動端末のディスプレイスクリーンの面積が大きくなり、移動端末の例えばカメラなどの機器が遮蔽され、関連技術において、遮蔽問題を解決するように、ディスプレイスクリーンのカメラに対応する位置に穴が開けられ、しかし、ディスプレイスクリーンに穴が開けられる場合、ディスプレイスクリーンの表示面積が小さくなり、移動端末の機械的強度が低くなり、且つ防塵及び防水に不利である。
【発明の概要】
【発明が解決しようとする課題】
【０００４】
関連技術の問題を解決するために、本開示の実施例は有機発光ダイオードディスプレイスクリーン及び電子装置を提供する。
【課題を解決するための手段】
【０００５】
本開示の実施例の第一の態様による有機発光ダイオード（ＯＬＥＤ）ディスプレイスクリーンは、水平方向において第一のエリア及び第二のエリアを含み、垂直方向において第一のフィルム層、及び前記第一のフィルム層に順次重ね合わせられた第一の電極、第二のフィルム層及び第二の電極を含み、
前記ＯＬＥＤディスプレイスクリーンの第一のエリアに位置する第一のフィルム層に駆動素子が設置され、前記ＯＬＥＤディスプレイスクリーンの第二のエリアに位置する第一のフィルム層に駆動素子が設置されなく、
前記ＯＬＥＤディスプレイスクリーンの第一のエリアに位置する第二のフィルム層に第一の発光素子が設置され、前記ＯＬＥＤディスプレイスクリーンの第二のエリアに位置する第二のフィルム層に第二の発光素子が設置され、前記第一の発光素子と前記第二の発光素子が前記駆動素子の駆動で発光することができ、
前記第一の発光素子と前記第二の発光素子がいずれも前記第一の電極を介して前記駆動素子に電気的に接続され、
前記第一の発光素子と前記第二の発光素子がいずれも前記第二の電極に電気的に接続される。
【０００６】
一つの可能な実施形態では、
前記ＯＬＥＤディスプレイスクリーンは複数の第一の発光素子と複数の第二の発光素子を含み、
前記複数の第一の発光素子が複数の第一のグループに分けられ、第一のグループごとに少なくとも一つの第一の発光素子が含まれ、
前記複数の第二の発光素子が複数の第二のグループに分けられ、第二のグループごとに少なくとも一つの第二の発光素子が含まれ、
各第二のグループがそれぞれ一つの第一のグループと一対一で対応し、
各第二のグループの第二の発光素子、及び該第二のグループと一対一で対応する第一のグループの第一の発光素子がいずれも同一の駆動素子に電気的に接続される。
【０００７】
可能な実施形態では、各第二のグループの第二の発光素子の発光色、及び該第二のグループと一対一で対応する第一のグループの第一の発光素子の発光色は同じである。
【０００８】
可能な実施形態では、各第二のグループの第二の発光素子の発光色、及び該第二のグループと一対一で対応する第一のグループの第一の発光素子の発光色は、異なり、又は一部同じである。
【０００９】
可能な実施形態では、各第二のグループの第二の発光素子、及び該第二のグループと一対一で対応する第一のグループの第一の発光素子は、直線、ポリライン、曲線又はアレイに配置される。
【００１０】
可能な実施形態では、前記第一の電極が陽極であり、前記第二の電極が陰極である。
【００１１】
可能な実施形態では、いずれかの前記第一の発光素子は該第一の発光素子に電気的に接続された駆動素子に面している。
【００１２】
可能な実施形態では、前記ＯＬＥＤディスプレイスクリーンの第一のエリアに位置する第一のフィルム層の材料は前記ＯＬＥＤディスプレイスクリーンの第二のエリアに位置する第一のフィルム層の材料と異なる。
【００１３】
可能な実施形態では、前記ＯＬＥＤディスプレイスクリーンの第一のエリアに位置する第一のフィルム層の厚さは前記ＯＬＥＤディスプレイスクリーンの第二のエリアに位置する第一のフィルム層の厚さと異なる。
【００１４】
可能な実施形態では、前記ＯＬＥＤディスプレイスクリーンの第二のエリアにおける前記第一のフィルム層の位置に穴が開けられる。
【００１５】
可能な実施形態では、前記第一の電極と前記第二の電極は透明導電性材料からなる。
【００１６】
本開示の実施例の第二の態様による電子装置は、上記のいずれか一つの有機発光ダイオード（ＯＬＥＤ）ディスプレイスクリーンを備える。
【００１７】
本開示の実施例による技術的解決策は、本開示の実施例においてディスプレイスクリーンが水平方向において第一のエリア及び第二のエリアを含むことにより、ディスプレイスクリーンの第一のエリアに位置する第一のフィルム層に駆動素子が設置され、ディスプレイスクリーンの第二のエリアに位置する第一のフィルム層に駆動素子が設置されなく、そして第一のエリアに位置する駆動素子により第一のエリアに設置された第一の発光素子及び第二のエリアに設置された第二の発光素子を駆動するという有益な効果を含むことができる。これにより第二のエリアに駆動素子を設置する必要がなく、第二のエリアの透明性を大幅に向上させ、第二のエリアの後方に位置するデバイスへの照明に役立ち、ディスプレイスクリーンに穴が開けられることを回避することができるだけでなく、第二のエリアの表示効果を達成することができ、且つ余分な駆動信号線と駆動素子で第二の発光素子を駆動する必要がなく、構造が簡単である。
【００１８】
理解すべきものとして、以上の一般的な説明及び以下の詳細な説明は、例示的かつ説明的なものだけであり、本開示の実施例を限定することができない。
【図面の簡単な説明】
【００１９】
【図１】一つの例示的な実施例による有機発光ダイオードディスプレイスクリーンの垂直方向の断面図である。
【図２】一つの例示的な実施例による別の有機発光ダイオードディスプレイスクリーンの垂直方向の断面図である。
【図３】一つの例示的な実施例による有機発光ダイオードディスプレイスクリーンの水平方向の概略図である。
【図４】一つの例示的な実施例による電子装置の概略図である。
【発明を実施するための形態】
【００２０】
ここでの図面は本明細書に組み込まれてその一部を構成し、本開示に該当する実施例を示し、そして明細書と共に本開示の実施例の原理を解釈することに用いられる。
【００２１】
ここで例示的な実施例を詳細に説明し、その例が図面に示される。以下の説明が図面に関する場合、特に明記しない限り、異なる図面における同じ数字が同一又は類似の要素を指す。以下の例示的な実施例に記載される実施形態は本開示の実施形態と一致する全ての実施形態を表すものではない。逆に、それらは、添付の特許請求の範囲に詳細に説明される、本開示の実施例のいくつかの態様と一致する装置及び方法の例だけである。
【００２２】
図１は一つの例示的な実施例による有機発光ダイオードディスプレイスクリーンの垂直方向の断面図である。図１に示すように、前記ディスプレイスクリーンは水平方向において第一のエリア１０１及び第二のエリア１０２を含み、前記ディスプレイスクリーンは垂直方向において第一のフィルム層１０３、及び前記第一のフィルム層１０３に順次重ね合わせられた第一の電極１０５、第二のフィルム層１０４及び第二の電極１０６を含み、
前記ディスプレイスクリーンの第一のエリア１０１に位置する第一のフィルム層１０３に駆動素子１０３１が設置され、前記ディスプレイスクリーンの第二のエリア１０２に位置する第一のフィルム層１０３に駆動素子１０３１が設置されない。
【００２３】
前記ディスプレイスクリーンの第一のエリア１０１に位置する第二のフィルム層１０４に第一の発光素子１０４１が設置され、前記ディスプレイスクリーンの第二のエリア１０２に位置する第二のフィルム層１０４に第二の発光素子１０４２が設置され、前記第一の発光素子１０４１と前記第二の発光素子１０４２が前記駆動素子１０３１の駆動で発光することができる。
【００２４】
前記第一の発光素子１０４１と前記第二の発光素子１０４２はいずれも前記第一の電極１０５を介して前記駆動素子１０３１に電気的に接続される。
【００２５】
前記第一の発光素子１０４１と前記第二の発光素子１０４２はいずれも前記第二の電極１０６に電気的に接続される。
【００２６】
本実施例の一例として、図１に示すように、ディスプレイスクリーンは水平方向において第一のエリア１０１及び第二のエリア１０２を含むことができ、これに対応して、ディスプレイスクリーンの第一のエリア１０１に位置する第一のフィルム層１０３に駆動素子１０３１を設置することができ、該駆動素子１０３１がＴＦＴ（薄膜トランジスタ：Ｔｈｉｎ  Ｆｉｌｍ  Ｔｒａｎｓｉｓｔｏｒ）であってもよく、そしてディスプレイスクリーンの第二のエリア１０２に位置する第一のフィルム層１０３に駆動素子１０３１を設置しないことができる。これにより、第二のエリア１０２の透明性を向上させる。第一のフィルム層１０３に第一の電極１０５を重ね合わせることができ、該第一の電極１０５が第一のエリア１０１と第二のエリア１０２を跨ぐことができ、そして第一のフィルム層１０３における駆動素子１０３１の上方に開設されたスルーホールを介して駆動素子１０３１に電気的に接続されることができる。第一の電極１０５に第二のフィルム層１０４を重ね合わせることができ、そしてディスプレイスクリーンの第一のエリア１０１に位置する第二のフィルム層１０４に第一の発光素子１０４１を設置し、前記ディスプレイスクリーンの第二のエリア１０２に位置する第二のフィルム層１０４に第二の発光素子１０４２を設置することができる。第一の発光素子１０４１と第二の発光素子１０４２はいずれも第一の電極１０５に電気的に接続されてもよく、このようにして第一の電極１０５は駆動素子１０３１から放出された駆動電気信号をそれぞれ第一の発光素子１０４１と第二の発光素子１０４２に伝送し、第一の発光素子１０４１と第二の発光素子１０４２をそれぞれ駆動することができる。
【００２７】
本開示の実施例ではディスプレイスクリーンが水平方向において第一のエリア及び第二のエリアを含むことにより、ディスプレイスクリーンの第一のエリアに位置する第一のフィルム層に駆動素子が設置され、ディスプレイスクリーンの第二のエリアに位置する第一のフィルム層に駆動素子が設置されなく、そして第一のエリアに位置する駆動素子により第一のエリアに設置された第一の発光素子と第二のエリアに設置された第二の発光素子を駆動する。これにより第二のエリアに駆動素子を設置する必要がなく、第二のエリアの透明性を大幅に向上させ、第二のエリアの後方に位置するデバイスへの照明に役立ち、ディスプレイスクリーンに穴が開けられることを回避することができるだけでなく、第二のエリアの表示効果を達成することができ、且つ余分な駆動信号線と駆動素子で第二の発光素子を駆動する必要がなく、構造が簡単である。
【００２８】
本実施例の一つの例として、第一のエリアは複数の第一の発光素子及び複数の第三の発光素子を含むことができ、第三の発光素子の発光原理が第一の発光素子と第二の発光素子と同じであってもよい。各第三の発光素子は一つの駆動素子に電気的に接続されてもよく、該複数の第三の発光素子はそれぞれ複数の画像素点を構成することができ、そしてそれに電気的に接続された駆動素子の駆動で発光することができ、これにより第一のエリアに画像とビデオなどのマルチメディアファイルが表示されてもよい。複数の第一の発光素子は第一のエリアと第二のエリアが隣接する縁に順次配列されてもよく、これにより第一の電極の長さを短縮し、ディスプレイスクリーン構造の冗長性を低減することができる。複数の第二の発光素子は複数のグループに分けられてもよく、各グループの第二の発光素子が第一の電極を介して一つの第一の発光素子と一つの駆動素子に電気的に接続されてもよく、第二のエリアが表示機能を備えるように、該駆動素子はそれに電気的に接続された第一の発光素子と複数の第二の発光素子をそれぞれ駆動して発光させることができる。
【００２９】
可能な実施形態では、ディスプレイスクリーンは一つ又は複数の第一のエリア、及び一つ又は複数の第二のエリアを含むことができ、第一のエリアの面積と第二のエリアの面積が同じであっても異なってもよい。第一のエリアと第二のエリアの形状は円形、矩形、三角形、多角形などの任意の形状を含むことができ、ここで限定されない。第一のエリアと第二のエリアの位置関係は、第二のエリアが第一のエリアの縁に位置すること、第一のエリアが第二のエリアを取り囲むこと又は第二のエリアが第一のエリアを取り囲むことのうちのいずれか一つ又は複数を含むことができる。
【００３０】
可能な実施形態では、本開示の実施例の第一のフィルム層、第二のフィルム層、第一の電極、第二の電極、第一の発光素子、及び第二の発光素子はそれぞれ一定の透明性を有する材料で作られてもよく、ここで、透明性が、物質が光を通過させる程度として表すことができる。このようにして、本開示の実施例のディスプレイスクリーンの第二のエリアに駆動素子が設置されないため、第一のフィルム層、第二のフィルム層、第一の電極、第二の電極、及び第二の発光素子がいずれも透明性を有する材料で作られる場合、第二のエリアはより高い透明性を有することができる。
【００３１】
例えば、第一のフィルム層は複合層であり、使用される材料が窒化シリコン、酸化シリコンなどの無機材料及びポリイミドなどの有機材料を含み、前記ディスプレイスクリーンの第一のエリアに位置する第一のフィルム層の材料が前記ディスプレイスクリーンの第二のエリアに位置する第一のフィルム層の材料と異なってもよい。第二のフィルム層の材料はポリイミドなどの有機材料を含むことができる。第一の電極と第二の電極は透明導電材料で作られてもよく、例えばインジウム錫酸化物（ＩＴＯ：ｉｎｄｉｕｍ  ｔｉｎ  ｏｘｉｄｅ）又はインジウムドープ酸化亜鉛（ＩＺＯ：ｉｎｄｉｕｍ−ｄｏｐｅｄ  ｚｉｎｃ  ｏｘｉｄｅ）の透明導電性酸化物を含むことができ、又は透明導電性酸化物及びＡｇなどの金属の複合材料を含むことができる。第一の発光素子と第二の発光素子の材料は例えば小分子有機発光材料又は高分子ポリマー発光材料を含むことができる。
【００３２】
可能な実施形態では、第二の電極の材料はマグネシウム銀合金などの金属材料を含むこともでき、第二の電極が一定の透明性を有するように、第二の電極は非常に薄い厚さ（例えば１ｎｍ〜１０ｎｍであってもよい）を有することができる。
【００３３】
説明すべきものとして、本開示の実施例におけるディスプレイスクリーンの各部材の材料についての説明が例だけであるがこれに限定されなく、当業者は需要に応じて他の任意の適切な材料を選択することができ、該材料が一定の透明性さえ有すればよく、本開示の実施例において有機発光ダイオードディスプレイスクリーンの材料は具体的に限定されない。
【００３４】
図２は一つの例示的な実施例による別の有機発光ダイオードディスプレイスクリーンの垂直方向の断面図である。図２に示すように、第一のフィルム層１０３は基板（Ｇｌａｓｓ）１０３２、バッファ層（Ｂｕｆｆｅｒ）１０３３、ゲート断熱層（ＧＩ：ｇａｔｅ  ｉｎｓｕｌａｔｉｎｇ  ｌａｙｅｒ）１０３４、層間誘電体層（ＩＬＤ：ｉｎｔｅｒｌａｙｅｒ  ｄｉｅｌｅｃｔｒｉｃ  ｌａｙｅｒ）１０３５、平坦層（ＰＬＮ：ｐｌａｎａｒ  ｌａｙｅｒ）１０３６を含むことができる。駆動素子１３０１はソース電極１０３１１、駆動半導体層１０３１２、ゲート電極１０３１３及びドレイン電極１０３１４を含むことができる。第二のフィルム層１０４は画素定義層（ＰＤＬ：ｐｉｘｅｌ  ｄｅｆｉｎｉｔｉｏｎ  ｌａｙｅｒ）１０４３、第一の発光素子１０４１及び第二の発光素子１０４２を含むことができる。
【００３５】
この例では、図２に示すように、バッファ層１０３３は基板１０３２に重ね合わせられてもよい。基板１０３２の材料はガラス、石英、セラミック又はプラスチック、ポリイミドなどの断熱材料を含むことができ、バッファ層１０３３の材料は窒化シリコン、酸化シリコンなどを含むことができる。バッファ層１０３３は不純物又は湿気などの不要な成分が基板１０３２に浸透することを防止することに用いられ、そして平らな表面を形成することに用いられることができる。駆動素子１０３１の駆動半導体層１０３１２はバッファ層に設置されてもよい。駆動半導体層１０３１２の材料はポリシリコン及び高濃度ドープエリアを含むことができる。ゲート断熱層１０３４は駆動半導体層１０３１２とバッファ層１０３３に被覆され、ゲート断熱層１０３４の材料が窒化シリコンなどを含むことができる。ソース電極１０３１１、ゲート電極１０３１３とドレイン電極１０３１４は層間誘電体層１０３５に形成される。ソース電極１０３１１とドレイン電極１０３１４は層間誘電体層１０３５とゲート断熱層１０３４に開設された接触穴を介して駆動半導体層１０３１２に電気的に接続される。平坦層１０３６は層間誘電体層１０３５に被覆され、ドレイン電極１０３１４は平坦層１０３６に形成された接触穴を介し、平坦層１０３６に設置された第一の電極１０５に電気的に接続される。
【００３６】
第一の発光素子１０４１と第二の発光素子１０４２は画素定義層１０４３によって第二のフィルム層１０４に制限され且つ第一の電極１０５に電気的に接続され、ここで、第一の発光素子１０４１と第二の発光素子１０４２は例えば有機発光層、正孔注入層（ＨＩＬ：ｈｏｌｅ  ｉｎｊｅｃｔｉｏｎ  ｌａｙｅｒ）、正孔伝送層（ＨＴＬ：ｈｏｌｅ  ｔｒａｎｓｐｏｒｔ  ｌａｙｅｒ）、電子伝送層（ＥＴＬ：ｅｌｅｃｔｒｏｎ  ｔｒａｎｓｐｏｒｔ  ｌａｙｅｒ）及び電子注入層（ＥＩＬ：ｅｌｅｃｔｒｏｎ  ｉｎｊｅｃｔｉｏｎ  ｌａｙｅｒ）のうちの一層又は複数層を含むことができ、第一の発光素子１０４１と第二の発光素子１０４２の構造は同じであっても異なってもよい。
【００３７】
図２に示すように、第二の電極１０６は第二のフィルム層１０４に設置されてもよく、第一の発光素子１０４１と第二のフィルム層１０４２は第二の電極１０６に均一で電気的に接続されてもよい。
【００３８】
可能な実施形態では、第一の電極は陽極であってもよく、第一の電極の材料が例えばＩＴＯを含むことができ、第二の電極は陰極であり、第二の電極の材料が例えばマグネシウム銀合金を含むことができる。
【００３９】
説明すべきものとして、駆動素子が位置する第一のフィルム層は基板、バッファ層、ゲート断熱層、層間誘電体層、平坦層などの断熱層を含むことができ、さらにゲート電極、ソース電極、ドレイン電極などの金属層を含むことができる。需要に応じて任意の一層又は複数層の断熱層又は金属層を増加又は除去することができ、本開示の実施例では第一のフィルム層の具体的な構造、駆動素子のタイプ及び第一の発光素子と第二の発光素子のタイプが限定されない。
【００４０】
可能な実施形態では、前記ディスプレイスクリーンの第一のエリアに位置する第一のフィルム層の材料は前記ディスプレイスクリーンの第二のエリアに位置する第一のフィルム層の材料と異なってもよい。例えば、第一のフィルム層のディスプレイスクリーンの第二のエリアにおける第一のフィルム層の位置に穴を開け、そして例えばポリメタクリル酸メチル（ＰＭＭＡ：ｐｏｌｙｍｅｔｈｙｌ  ｍｅｔｈａｃｒｙｌａｔｅ）などの透明性が高い材料を充填することができ、これにより第二の発光素子に対して支持を形成し、ディスプレイスクリーンの機械的強度を高めることができるだけでなく、第二のエリアの透明性を向上させることができる。
【００４１】
可能な実施形態では、前記ディスプレイスクリーンの第一のエリアに位置するフィルム層の厚さは前記ディスプレイスクリーンの第二のエリアに位置する第一のフィルム層の厚さと異なってもよい。例えば、ディスプレイスクリーンの第二のエリアに位置する第一のフィルム層の厚さがディスプレイスクリーンの第一のエリアに位置する第一のフィルム層の厚さよりも小さくなることができ、このようにして、ディスプレイスクリーンの第二のエリアの透明性を効果的に向上させることができる。
【００４２】
可能な実施形態では、前記ディスプレイスクリーンの第二のエリアの前記第一のフィルム層の位置に穴が開けられる。さらに前記ディスプレイスクリーンの第二のエリアの透明性を向上させることができる。
【００４３】
図３は一つの例示的な実施例による有機発光ダイオードディスプレイスクリーンの水平方向の概略図である。図３に示すように、前記ディスプレイスクリーンは複数の第一の発光素子１０４１及び複数の第二の発光素子１０４２を含むことができる。
【００４４】
前記複数の第一の発光素子１０４１は複数の第一のグループに分けられ、第一のグループごとに少なくとも一つの第一の発光素子１０４１が含まれる。
【００４５】
前記複数の第二の発光素子１０４２は複数の第二のグループに分けられ、第二のグループごとに少なくとも一つの第二の発光素子１０４２を含む。
【００４６】
各第二のグループはそれぞれ第一のグループと一対一で対応する。
【００４７】
各第二のグループの第二の発光素子１０４２、及び該第二のグループと一対一で対応する第一のグループの第一の発光素子１０４１はいずれも同一の駆動素子１０３１に電気的に接続される。
【００４８】
例えば、図３に示すように、ディスプレイスクリーンは３つの第一の発光素子１０４１及び１２つの第二の発光素子１０４２を含むことができ、該３つの第一の発光素子１０４１が３つの第一のグループ２０１に分けられてもよく、第一のグループ２０１ごとに１つの第一の発光素子１０４１が含まれてもよい。該１２つの第二の発光素子１０４２は３つの第二のグループ２０２に分けられてもよく、第二のグループ２０２ごとに４つの第二の発光素子１０４２が含まれてもよい。図３に示すように、各第二のグループ２０２の第二の発光素子１０４２、及び該グループ２０２と一対一で対応する第一のグループ２０１の第一の発光素子１０４１はいずれも対応する第一の電極１０５を介して同一の駆動素子１０３１に電気的に接続され、それぞれ第一の発光グループ２０３、第二の発光グループ２０４と第三の発光グループ２０５を形成する。該第一の発光グループ２０３、第二の発光グループ２０４と第三の発光グループ２０５はいずれも第一の電極１０５を介して電気的に接続された１つの駆動素子１０３１、１つの第一の発光素子１０４１、及び３つの第二の発光素子１０４２を含む。このようにして、第一のエリア１０１に設置された駆動素子１０３１により第一の発光素子１０４１と第二の発光素子１０４２を同時に駆動することができ、第二のエリア１０２に駆動素子１０３１を設置する必要がなく、第二のエリア１０２の透明性を大幅に向上させ、第二のエリア１０２の後方に位置するデバイスへの照明に役立ち、ディスプレイスクリーンに穴が開けられることを回避することができるだけでなく、第二のエリア１０２の表示効果を達成することができ、且つ余分な駆動信号線と駆動素子１０３１で第二の発光素子１０４２を駆動する必要がなく、構造が簡単である。
【００４９】
可能な実施形態では、第一のグループはさらに複数の第一の発光素子を含むことができ、該複数の第一の発光素子が第一の電極を介して同一の駆動素子に電気的に接続されてもよい。
【００５０】
可能な実施形態では、各第二のグループの第二の発光素子、及び該第二のグループと一対一で対応する第一のグループの第一の発光素子の接続方式は、直列接続、並列接続又は混合接続のうちのいずれかの一つを含むことができ、これに限定されない。
【００５１】
可能な実施形態では、各第二のグループの第二の発光素子の発光色、及び該第二のグループと一対一で対応する第一のグループの発光素子の発光色は同じであってもよい。
【００５２】
例えば、図３に示すように、第一の発光グループ２０３の第一の発光素子１０４１と第二の発光素子１０４２の発光色はいずれも赤色（図示せず）であってもよく、第二の発光グループ２０４の第一の発光素子１０４１と第二の発光素子１０４２の発光色はいずれも緑色（図示せず）であってもよく、第三の発光グループ２０５の第一の発光素子１０４１と第二の発光素子１０４２の発光色はいずれも青色（図示せず）であってもよく、このようにして、該３つの第一の発光素子１０４１が一つの画素点を構成する場合、第二のエリア１０２の表示色は該３つの第一の発光素子１０４から構成された画素点に表示される色に一致してもよい。
【００５３】
可能な実施形態では、各第二のグループ２０２の第二の発光素子１０４２の発光色、及び該第二のグループ２０２と一対一で対応する第一のグループ２０１の第一の発光素子１０４１の発光色は異なってもよく、一部同じであってもよい。例えば、第一の発光グループ２０３において、第一の発光素子１０４１の発光色を赤色に設定することができ、そして３つの第二の発光素子１０４２の発光色を青色に設定することができる。また、第二の発光グループ２０４において、第一の発光素子１０４１の発光色を青色に設定することができ、３つの第二の発光素子１０４２の発光色を順次赤色、緑色及び青色に設定することができる。これによって類推し、表示の需要に応じて異なる色組み合わせを設定して指定された表示効果を達成することができ、本開示の実施例では第一の発光素子１０４１と第二の発光素子１０４２の発光色が限定されない。このようにして、第二の発光素子１０４２に駆動素子１０３１を別途設置する必要がなく、第一の発光素子１０４１と第二の発光素子１０４２の発光色のみを調整することにより、第二の領域１０２に可変色が表示されてもよい。
【００５４】
説明すべきものとして、需要に応じて適切な方式を使用して第一の発光素子１０４１と第二の発光素子１０４２の発光色を調整することができ、例えば異なる色のフィルターを使用すること、又は異なる材質の発光材料を使用することなどがあり、本開示の実施例で発光色を調整する方法が限定されない。
【００５５】
可能な実施形態では、各第二のグループ２０２の第二の発光素子１０４２、及び該第二のグループ２０２と一対一で対応する第一のグループ２０１の第一の発光素子１０４１は直線、ポリライン、曲線又はアレイに配置される。例えば、図３に示すように、各第二のグループ２０２の第二の発光素子１０４２、及び該第二のグループ２０２と一対一で対応する第一のグループ２０１の第一の発光素子１０４１は直線に配置される。説明すべきものとして、需要に応じて他の配置形態を選択することができ、ここで限定されない。
【００５６】
可能な実施形態では、いずれかの第一の発光素子１０４１は該第一の発光素子１０４１に電気的に接続された駆動素子１０３１に面していることができる。図１に示すように、駆動素子１０３１はそれに電気的に接続された第一の発光素子１０４１の直下に位置する。このようにして、第一の発光素子１０４１と駆動素子１０３１の配線長を効果的に短縮さえることができ、信号ノイズと電力損失の低減、材料コストの削減に役立つ。
【００５７】
図４は例示的な実施例による電子装置の概略図である。該電子装置は例えば携帯電話、タブレット、スマートウォッチ、ラップトップなどの端末装置であってもよく、ここで限定されない。図４に示すように、該電子装置は上述した有機発光ダイオードディスプレイスクリーン４１を含むことができ、ここで説明を省略する。
【００５８】
可能な実施形態では、第一のエリア４１１に画像、ビデオなどのマルチメディア画面が表示されてもよく、第二のエリア４１２は一定の透明性を有し、そして表示機能を有することができる。例えば電子装置のパネルの第二のエリア４１２に対応する位置に例えばカメラなどの光学デバイス（図示せず）が設置されてもよく、このようにして光学デバイスはディスプレイスクリーンの第二のエリア４１２を透過して入射した光を取得し、さらに画像、ビデオの撮影又はロック解除の識別などの動作を実行することができる。本開示の実施例では、ディスプレイスクリーンが水平方向において第一のエリアと第二のエリアを含むことにより、ディスプレイスクリーンの第一のエリアに位置する第一のフィルム層に駆動素子が設置され、ディスプレイスクリーンの第二のエリアに位置する第一のフィルム層に駆動素子が設置されなく、そして第一のエリアに位置する駆動素子により第一のエリアに設置された第一の発光素子と第二のエリアに設置された第二の発光素子を駆動する。これにより第二のエリアに駆動素子を設置する必要がなく、第二のエリアの透明性を大幅に向上させ、第二のエリアの後方に位置するデバイスへの照明に役立ち、ディスプレイスクリーンに穴が開けられることを回避することができるだけでなく、第二のエリアの表示効果を達成することができ、且つ余分な駆動信号線と駆動素子で第二の発光素子を駆動する必要がなく、構造が簡単である。
【００５９】
当業者は明細書を考慮してここで開示された発明を実施した後、本開示の実施例の他の実施形態を容易に想到する。本出願は本開示の実施例のいかなる変形、用途又は適応変化を包含することを意図し、これらの変形、用途又は適応変化が本開示の実施例の一般的な原理に従い且つ本開示の実施例で開示されない本技術分野における公知常識又は慣用技術手段を含む。明細書と実施例が単なる例示的なものとみなし、本開示の実施例の真の範囲及び精神は以下の請求項によって指摘される。
【００６０】
理解すべきものとして、本開示の実施例は以上に説明され且つ図面に示された正確な構造に限定されなく、そしてその範囲から逸脱することなく様々な変更及び変形を行うことができる。本開示の実施例の範囲は添付の特許請求の範囲のみによって限定される。
【産業上の利用可能性】
【００６１】
本開示の実施例ではディスプレイスクリーンが水平方向において第一のエリア及び第二のエリアを含むことにより、ディスプレイスクリーンの第一のエリアに位置する第一のフィルム層に駆動素子が設置され、ディスプレイスクリーンの第二のエリアに位置する第一のフィルム層に駆動素子が設置されなく、そして第一のエリアに位置する駆動素子により第一のエリアに設置された第一の発光素子及び第二のエリアに設置された第二の発光素子を駆動する。これにより第二のエリアに駆動素子を設置する必要がなく、第二のエリアの透明性を大幅に向上させ、第二のエリアの後方に位置するデバイスへの照明に役立ち、ディスプレイスクリーンに穴が開けられることを回避することができるだけでなく、第二のエリアの表示効果を達成することができ、且つ余分な駆動信号線と駆動素子で第二の発光素子を駆動する必要がなく、構造が簡単である。
【図１】
2021501957.tif 000003
【図２】
2021501957.tif 000004
【図３】
2021501957.tif 000005
【図４】
2021501957.tif 000006
【国際調査報告】
2021501957.tif 000007
2021501957.tif 000008
2021501957.tif 000009
2021501957.tif 000010